【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
ワイヤレスデバイスにおける通信の方法であって、
前記ワイヤレスデバイスにおいて、第1の信号をミリメートル波基地局から受信するステップであり、前記第1の信号が、第1のコードブックからの複数のビームフォーミングベクトル上にビームフォーミングされる、ステップと、
複数のアンテナサブアレイの各々が前記ワイヤレスデバイスの複数のアンテナの異なるサブセットから構成された前記複数のアンテナサブアレイの各々によって受信された前記第1の信号の品質を識別するために、前記複数のアンテナサブアレイを走査するステップと、
前記複数のアンテナサブアレイの少なくとも１つによって受信された前記第1の信号の前記識別された品質に少なくとも部分的に基づいて、前記複数のアンテナサブアレイの１つを選択するステップと
を含む方法。
【請求項２】
前記走査するステップが、
前記複数のアンテナサブアレイの各々で受信された前記第1の信号の前記品質を識別するために、サブアレイ選択コードブックからの複数のビームフォーミングベクトルに関して前記複数のアンテナサブアレイを走査するステップ
をさらに含む、請求項1に記載の方法。
【請求項３】
前記第1の信号の前記識別された品質に少なくとも基づいて、前記複数のアンテナサブアレイからそれぞれのサブアレイの前記サブアレイ選択コードブックからの前記複数のビームフォーミングベクトルから第1のビームフォーミングベクトルを選択するステップ
をさらに含む、請求項2に記載の方法。
【請求項４】
前記サブアレイ選択コードブックが、
擬似オムニビームパターンコードブック、
アンテナ選択コードブック、
粗いコードブック、
中間コードブック、
細かいコードブック、
近距離場障害を緩和するように設計されたコードブック、
チャネル推定を支援するように設計されたコードブック、
無線周波数設計を支援する、システムの複雑さを低減する、もしくはシステムコストを低減するように設計されたコードブック、または
異なるコードブックからのビームフォーミングベクトルの組合せ
のうちの少なくとも1つを含む、請求項2に記載の方法。
【請求項５】
前記ミリメートル波基地局において複数のビームフォーミングベクトルから第2のビームフォーミングベクトルを識別するためのオンデマンド検索を開始するステップをさらに含み、前記第2のビームフォーミングベクトルが、粗いコードブック、中間コードブック、細かいコードブック、近距離場障害軽減コードブック、チャネル推定コードブック、複雑度低減コードブック、またはワイヤレスデバイス固有のコードブックのうちの少なくとも1つを含むグループから識別される、
請求項1に記載の方法。
【請求項６】
前記選択されたアンテナサブアレイにおける前記第1の信号の前記品質が第1のしきい値を上回るか下回るかを判定するステップと、
判定する前記ステップに少なくとも部分的に基づいて第2の信号を前記ミリメートル波基地局に送信するステップと
をさらに含む、請求項1に記載の方法。
【請求項７】
前記ワイヤレスデバイスにおいて、第3の信号を前記ミリメートル波基地局から受信するステップであり、前記第3の信号が、第2のコードブックからの複数のビームフォーミングベクトル上にビームフォーミングされる、ステップと、
前記第2のコードブックからの複数のビームフォーミングベクトルを走査するステップと、
前記第2のコードブックからの複数のビームフォーミングベクトルを走査する前記ステップに少なくとも部分的に基づいて、前記第2のコードブックからの複数のビームフォーミングベクトルから第2のビームフォーミングベクトルを識別するステップと
をさらに含む、請求項6に記載の方法。
【請求項８】
前記ワイヤレスデバイスによるビームフォーミングベクトルの選択に少なくとも部分的に基づいて前記第1のしきい値を適応させるステップ
をさらに含む、請求項6に記載の方法。
【請求項９】
ランダムアクセスチャネル(RACH)を介して前記第2の信号を送信するステップ
をさらに含む、請求項6に記載の方法。
【請求項１０】
前記選択されたサブアレイにおける前記第1の信号の信号品質が前記第1のしきい値より低いことを決定するステップと、
前記選択されたサブアレイにおける前記第1の信号の信号品質が前記第1のしきい値より低いことを決定することに少なくとも部分的に基づいて、ミリメートル波キャリアネットワークと共存する低周波キャリアネットワークを介して前記第2の信号を送信するステップ
をさらに含む、請求項6に記載の方法。
【請求項１１】
一意の識別情報ですでに確立された高度にコード化された低レート通信リンクを介して前記第2の信号を送信するステップ
をさらに含む、請求項6に記載の方法。
【請求項１２】
前記第2の信号が、信号エネルギー推定値、ビームフォーミングベクトルインデックス、ビームフォーミングのための情報、またはそれらの組合せを含む、請求項6に記載の方法。
【請求項１３】
前記第1の信号の前記品質を決定するために、前記第1の信号の信号対雑音比を計算するステップ
をさらに含む、請求項6に記載の方法。
【請求項１４】
前記第1の信号が、指向性1次同期信号である、請求項1に記載の方法。
【請求項１５】
ワイヤレス通信のための装置であって、
プロセッサと、
前記プロセッサと電子的に通信するメモリと、
前記メモリに記憶された命令と
を含み、前記命令が、前記プロセッサによって、
ワイヤレスデバイスにおいて、第1の信号をミリメートル波基地局から受信し、前記第1の信号が、第1のコードブックからの複数のビームフォーミングベクトル上にビームフォーミングされ、
複数のアンテナサブアレイの各々が前記ワイヤレスデバイスの複数のアンテナの異なるサブセットから構成された前記複数のアンテナサブアレイの各々によって受信された前記第1の信号の品質を識別するために、前記複数のアンテナサブアレイを走査され、
前記複数のアンテナサブアレイの少なくとも１つによって受信された前記第1の信号の前記識別された品質に少なくとも部分的に基づいて、前記複数のアンテナサブアレイの１つを選択される
ように実行可能である
装置。
【請求項１６】
前記命令が、前記プロセッサによって、
前記複数のアンテナサブアレイの各々で受信された前記第1の信号の前記品質を識別するために、サブアレイ選択コードブックからの複数のビームフォーミングベクトルに関して前記複数のアンテナサブアレイを走査する
ように実行可能である、請求項15に記載の装置。
【請求項１７】
前記命令が、前記プロセッサによって、
前記第1の信号の前記識別された品質に少なくとも基づいて、前記複数のアンテナサブアレイの前記走査された部分からそのサブアレイの前記サブアレイ選択コードブックからの前記複数のビームフォーミングベクトルから第1のビームフォーミングベクトルを選択する
ように実行可能である、請求項16に記載の装置。
【請求項１８】
前記サブアレイ選択コードブックが、
擬似オムニビームパターンコードブック、
アンテナ選択コードブック、
粗いコードブック、
中間コードブック、
細かいコードブック、
近距離場障害を緩和するように設計されたコードブック、
チャネル推定を支援するように設計されたコードブック、
無線周波数設計を支援する、システムの複雑さを低減する、もしくはシステムコストを低減するように設計されたコードブック、または
異なるコードブックからのビームフォーミングベクトルの組合せ
のうちの少なくとも1つを含む、請求項16に記載の装置。
【請求項１９】
前記命令が、前記プロセッサによって、
前記ミリメートル波基地局において複数のビームフォーミングベクトルから第2のビームフォーミングベクトルを識別するためのオンデマンド検索を開始するように実行可能であり、前記第2のビームフォーミングベクトルが、粗いコードブック、中間コードブック、細かいコードブック、近距離場障害軽減コードブック、チャネル推定コードブック、複雑度低減コードブック、またはワイヤレスデバイス固有のコードブックのうちの少なくとも1つを含むグループから識別される、
請求項15に記載の装置。
【請求項２０】
前記命令が、前記プロセッサによって、
前記選択されたアンテナサブアレイにおける前記第1の信号の前記品質が第1のしきい値を上回るか下回るかを判定し、
前記判定に少なくとも部分的に基づいて第2の信号を前記ミリメートル波基地局に送信する
ように実行可能である、請求項15に記載の装置。
【請求項２１】
前記命令が、前記プロセッサによって、
前記ワイヤレスデバイスにおいて、第3の信号を前記ミリメートル波基地局から受信し、前記第3の信号が、第2のコードブックからの複数のビームフォーミングベクトル上にビームフォーミングされ、
前記第2のコードブックからの複数のビームフォーミングベクトルを走査し、
前記第2のコードブックからの複数のビームフォーミングベクトルを走査するステップに少なくとも部分的に基づいて、前記第2のコードブックからの複数のビームフォーミングベクトルから第2のビームフォーミングベクトルを識別する
ように実行可能である、請求項20に記載の装置。
【請求項２２】
前記命令が、前記プロセッサによって、
前記ワイヤレスデバイスによるビームフォーミングベクトルの選択に少なくとも部分的に基づいて前記第1のしきい値を適応させる
ように実行可能である、請求項20に記載の装置。
【請求項２３】
前記命令が、前記プロセッサによって、
ランダムアクセスチャネル(RACH)を介して前記第2の信号を送信させる
ように実行可能である、請求項20に記載の装置。
【請求項２４】
前記命令が、前記プロセッサによって、
前記選択されたサブアレイにおける前記第1の信号の信号品質が前記第1のしきい値より低いことを決定させ、
前記選択されたサブアレイにおける前記第1の信号の信号品質が前記第1のしきい値より低いことを決定することに少なくとも部分的に基づいて、ミリメートル波キャリアネットワークと共存する低周波キャリアネットワークを介して前記第2の信号を送信させる
ように実行可能である、請求項20に記載の装置。
【請求項２５】
前記命令が、前記プロセッサによって、
一意の識別情報ですでに確立された高度にコード化された低レート通信リンクを介して前記第2の信号を送信させる
ように実行可能である、請求項20に記載の装置。
【請求項２６】
前記第2の信号が、信号エネルギー推定値、ビームフォーミングベクトルインデックス、ビームフォーミングのための情報、またはそれらの組合せを含む、請求項20に記載の装置。
【請求項２７】
前記命令が、前記プロセッサによって、
前記第1の信号の前記品質を決定するために、前記第1の信号の信号対雑音比を計算させる
ように実行可能である、請求項20に記載の装置。
【請求項２８】
前記第1の信号が、指向性1次同期信号である、請求項15に記載の装置。
【請求項２９】
ワイヤレス通信のための装置であって、
ワイヤレスデバイスにおいて、第1の信号をミリメートル波基地局から受信するための手段であり、前記第1の信号が、第1のコードブックからの複数のビームフォーミングベクトル上にビームフォーミングされる、手段と、
複数のアンテナサブアレイの各々が前記ワイヤレスデバイスの複数のアンテナの異なるサブセットから構成された前記複数のアンテナサブアレイの各々によって受信された前記第1の信号の品質を識別するために、前記複数のアンテナサブアレイを走査するための手段と、
前記複数のアンテナサブアレイの少なくとも１つによって受信された前記第1の信号の前記識別された品質に少なくとも部分的に基づいて、前記複数のアンテナサブアレイの１つを選択するための手段と
を含む装置。
【請求項３０】
前記複数のアンテナサブアレイの各々で受信された前記第1の信号の前記品質を識別するために、サブアレイ選択コードブックからの複数のビームフォーミングベクトルに関して前記複数のアンテナサブアレイを走査するための手段
をさらに含む、請求項29に記載の装置。
【請求項３１】
前記第1の信号の前記識別された品質に少なくとも基づいて、前記複数のアンテナサブアレイからそれぞれのサブアレイの前記サブアレイ選択コードブックからの前記複数のビームフォーミングベクトルから第1のビームフォーミングベクトルを選択するための手段
をさらに含む、請求項30に記載の装置。
【請求項３２】
前記サブアレイ選択コードブックが、
擬似オムニビームパターンコードブック、
アンテナ選択コードブック、
粗いコードブック、
中間コードブック、
細かいコードブック、
近距離場障害を緩和するように設計されたコードブック、
チャネル推定を支援するように設計されたコードブック、
無線周波数設計を支援する、システムの複雑さを低減する、もしくはシステムコストを低減するように設計されたコードブック、または
異なるコードブックからのビームフォーミングベクトルの組合せ
のうちの少なくとも1つを含む、請求項30に記載の装置。
【請求項３３】
前記ミリメートル波基地局において複数のビームフォーミングベクトルから第2のビームフォーミングベクトルを識別するためのオンデマンド検索を開始するための手段であり、前記第2のビームフォーミングベクトルが、粗いコードブック、中間コードブック、細かいコードブック、近距離場障害軽減コードブック、チャネル推定コードブック、複雑度低減コードブック、またはワイヤレスデバイス固有のコードブックのうちの少なくとも1つを含むグループから識別される、手段
をさらに含む、請求項29に記載の装置。
【請求項３４】
前記選択されたアンテナサブアレイにおける前記第1の信号の前記品質が第1のしきい値を上回るか下回るかを判定するための手段と、
前記判定に少なくとも部分的に基づいて第2の信号を前記ミリメートル波基地局に送信するための手段と
をさらに含む、請求項29に記載の装置。
【請求項３５】
前記ワイヤレスデバイスによるビームフォーミングベクトルの選択に少なくとも部分的に基づいて前記第1のしきい値を適応させるための手段
をさらに含む、請求項34に記載の装置。
【請求項３６】
ランダムアクセスチャネル(RACH)を介して前記第2の信号を送信するための手段
をさらに含む、請求項34に記載の装置。
【請求項３７】
前記選択されたサブアレイにおける前記第1の信号の信号品質が前記第1のしきい値より低いことを決定するための手段と、
前記選択されたサブアレイにおける前記第1の信号の信号品質が前記第1のしきい値より低いことを決定することに少なくとも部分的に基づいて、ミリメートル波キャリアネットワークと共存する低周波キャリアネットワークを介して前記第2の信号を送信するための手段と
をさらに含む、請求項34に記載の装置。
【請求項３８】
一意の識別情報ですでに確立された高度にコード化された低レート通信リンクを介して前記第2の信号を送信するための手段
をさらに含む、請求項34に記載の装置。
【請求項３９】
前記第2の信号が、信号エネルギー推定値、ビームフォーミングベクトルインデックス、ビームフォーミングのための情報、またはそれらの組合せを含む、請求項34に記載の装置。
【請求項４０】
前記第1の信号の前記品質を決定するために、前記第1の信号の信号対雑音比を計算するための手段
をさらに含む、請求項34に記載の装置。
【請求項４１】
前記ワイヤレスデバイスにおいて、第3の信号を前記ミリメートル波基地局から受信するための手段であり、前記第3の信号が、第2のコードブックからの複数のビームフォーミングベクトル上にビームフォーミングされる、手段と、
前記第2のコードブックからの複数のビームフォーミングベクトルを走査するための手段と、
前記第2のコードブックからの複数のビームフォーミングベクトルを走査するステップに少なくとも部分的に基づいて、前記第2のコードブックからの複数のビームフォーミングベクトルから第2のビームフォーミングベクトルを識別するための手段と
をさらに含む、請求項34に記載の装置。
【請求項４２】
前記第1の信号が、指向性1次同期信号である、請求項29に記載の装置。
【請求項４３】
ワイヤレスデバイスにおける通信のためのコードを記憶するコンピュータ可読記録媒体であって、前記コードが、
前記ワイヤレスデバイスにおいて、第1の信号をミリメートル波基地局から受信し、前記第1の信号が、第1のコードブックからの複数のビームフォーミングベクトル上にビームフォーミングされ、
複数のアンテナサブアレイの各々が前記ワイヤレスデバイスの複数のアンテナの異なるサブセットから構成された前記複数のアンテナサブアレイの各々によって受信された前記第1の信号の品質を識別するために、前記複数のアンテナサブアレイを走査され、
前記複数のアンテナサブアレイの少なくとも１つによって受信された前記第1の信号の前記識別された品質に少なくとも部分的に基づいて、前記複数のアンテナサブアレイの１つを選択される
ように実行可能である命令を含む
コンピュータ可読記録媒体。
【請求項４４】
前記走査が、
前記複数のアンテナサブアレイの各々で受信された前記第1の信号の前記品質を識別するために、サブアレイ選択コードブックからの複数のビームフォーミングベクトルに関して前記複数のアンテナサブアレイを走査する
ことをさらに含む、請求項43に記載のコンピュータ可読記録媒体。
【請求項４５】
前記コードが
前記第1の信号の前記識別された品質に少なくとも基づいて、前記複数のアンテナサブアレイの前記走査された部分からそれぞれのサブアレイの前記サブアレイ選択コードブックからの前記複数のビームフォーミングベクトルから第1のビームフォーミングベクトルを選択する
ように実行可能である命令をさらに含む、請求項44記載のコンピュータ可読記録媒体。
【請求項４６】
前記サブアレイ選択コードブックが、
擬似オムニビームパターンコードブック、
アンテナ選択コードブック、
粗いコードブック、
中間コードブック、
細かいコードブック、
近距離場障害を緩和するように設計されたコードブック、
チャネル推定を支援するように設計されたコードブック、
無線周波数設計を支援する、システムの複雑さを低減する、もしくはシステムコストを低減するように設計されたコードブック、または
異なるコードブックからのビームフォーミングベクトルの組合せ
のうちの少なくとも1つを含む、請求項44に記載のコンピュータ可読記録媒体。
【請求項４７】
前記コードが
前記ミリメートル波基地局において複数のビームフォーミングベクトルから第2のビームフォーミングベクトルを識別するためのオンデマンド検索を開始するように実行可能であり、前記第2のビームフォーミングベクトルが、粗いコードブック、中間コードブック、細かいコードブック、近距離場障害軽減コードブック、チャネル推定コードブック、複雑度低減コードブック、またはワイヤレスデバイス固有のコードブックのうちの少なくとも1つを含むグループから識別する
請求項43に記載のコンピュータ可読記録媒体。
【請求項４８】
前記コードが
前記選択されたアンテナサブアレイにおける前記第1の信号の前記品質が第1のしきい値を上回るか下回るかを判定し、
前記判定に少なくとも部分的に基づいて第2の信号を前記ミリメートル波基地局に送信する
ように実行可能である命令をさらに含む、請求項43に記載のコンピュータ可読記録媒体。
【請求項４９】
前記コードが
前記ワイヤレスデバイスにおいて、第3の信号を前記ミリメートル波基地局から受信し、前記第3の信号が、第2のコードブックからの複数のビームフォーミングベクトル上にビームフォーミングされ、
前記第2のコードブックからの複数のビームフォーミングベクトルを走査し、
前記第2のコードブックからの複数のビームフォーミングベクトルを走査するステップに少なくとも部分的に基づいて、前記第2のコードブックからの複数のビームフォーミングベクトルから第2のビームフォーミングベクトルを識別する
ように実行可能である命令をさらに含む、請求項48に記載のコンピュータ可読記録媒体。
【請求項５０】
前記コードが
前記ワイヤレスデバイスによるビームフォーミングベクトルの選択に少なくとも部分的に基づいて前記第1のしきい値を適応させる
ように実行可能である命令をさらに含む、請求項48に記載のコンピュータ可読記録媒体。
【請求項５１】
前記コードが
ランダムアクセスチャネル(RACH)を介して前記第2の信号を送信させる
ように実行可能である命令をさらに含む、請求項48に記載のコンピュータ可読記録媒体。
【請求項５２】
前記コードが
前記選択されたサブアレイにおける前記第1の信号の信号品質が前記第1のしきい値より低いことを決定させ、
前記選択されたサブアレイにおける前記第1の信号の信号品質が前記第1のしきい値より低いことを決定することに少なくとも部分的に基づいて、ミリメートル波キャリアネットワークと共存する低周波キャリアネットワークを介して前記第2の信号を送信させる
ように実行可能である命令をさらに含む、請求項48に記載のコンピュータ可読記録媒体。
【請求項５３】
前記コードが
一意の識別情報ですでに確立された高度にコード化された低レート通信リンクを介して前記第2の信号を送信させる
ように実行可能である命令をさらに含む、請求項48に記載のコンピュータ可読記録媒体。
【請求項５４】
前記第2の信号が、信号エネルギー推定値、ビームフォーミングベクトルインデックス、ビームフォーミングのための情報、またはそれらの組合せを含む、請求項48に記載のコンピュータ可読記録媒体。
【請求項５５】
前記コードが
前記第1の信号の前記品質を決定するために、前記第1の信号の信号対雑音比を計算させる
ように実行可能である命令をさらに含む、請求項48に記載のコンピュータ可読記録媒体。
【請求項５６】
前記第1の信号が、指向性1次同期信号である、請求項43に記載のコンピュータ可読記録媒体。